(57)【要約】【課題】シート状の展示物の出し入れを安定的且つ容易に行うことができると共に、搬送や取り扱いが容易で、取付箇所への負担が小さく、また製造も容易な額縁を得る。【解決手段】背面壁を形成する矩形状の本体部１と、該本体部１の四辺にそれぞれ延設されて折り曲げることにより本体部１の表面側の四辺を囲む枠部２を形成するフラップ部４，５とを、１枚のポリプロピレン製のシート材により一体に形成し、上記本体部１に、上記枠部２に沿う位置にある矩形枠状の縁部１０と、該縁部１０に取り囲まれるように形成されて上記展示物を出し入れする矩形状の出し入れ用開口１１と、外形が該出し入れ用開口１１に適合する矩形状に形成された、この出し入れ用開口１１を開閉する裏板１２とを形成し、該裏板１２を、外周縁の一部が上記縁部１０の内周縁の一部と一体に連結されて、該連結部分を支点として起倒することで上記出し入れ用開口１１を開閉させる構成とする。【選択図】    図１
2012095951.tif 000002
【特許請求の範囲】
【請求項１】
シート状の展示物を掲げる額縁であって、背面壁を形成する矩形状の本体部と、該本体部の表面側の周囲を囲む四辺に形成された枠部とを有し、
上記額縁は、上記本体部と、該本体部の四辺にそれぞれ延設されて折り曲ることにより上記枠部を形成するフラップ部とを一体に備えた１枚のポリプロピレン製のシート材により形成されていて、
上記本体部は、上記枠部に沿う位置にある矩形枠状の縁部と、該縁部に取り囲まれるように形成されて上記展示物を出し入れする矩形状の出し入れ用開口と、外形が該出し入れ用開口に適合する矩形状に形成された、この出し入れ用開口を開閉する裏板とを有し、該裏板は、外周縁の一部が、上記縁部の内周縁の一部と一体に連結され、該連結部分を支点として起倒することにより上記出し入れ用開口を開閉させる構成であることを特徴とする額縁。
【請求項２】
上記各フラップ部は、基端側が上記本体部に連結された第１フラップと、基端側が該第１フラップの先端側に連結された第２フラップと、基端側が該第２フラップの先端側に連結された第３フラップとを一体に備えていて、
上記枠部は、これらの第１フラップと本体部との連結部分と、第１フラップと第２フラップの連結部分と、第２フラップと第３フラップとの連結部分を、それぞれ本体部の表面側に折り曲げることにより、本体部から直角に立ち上がる立壁部を有する断面直角三角形状に構成されていることを特徴とする請求項１に記載の額縁。
【請求項３】
上記本体部の表面側に、可撓性を有し、且つ少なくとも上記出し入れ用開口の外形よりも大きな樹脂製の透明シートが配設されていることを特徴とする請求項１又は請求項２に記載の額縁。
【請求項４】
シート状の展示物を掲げる額縁であって、背面壁を形成する矩形状の本体部と、該本体部の表面側の周囲を囲む四辺に形成された枠部とを備えた額縁の製造方法において、
上記本体部と、該本体部の四辺にそれぞれ延設されて折り曲ることにより上記枠部を形成するフラップ部とを１枚のポリプロピレン製のシート材で一体に形成し、
上記本体部に、上記枠部の三辺に沿うように切込みを入れることにより、該枠部に沿うよう位置する矩形枠状の縁部と、該縁部に取り囲まれた、上記展示物を出し入れする矩形状の出し入れ用開口と、外形が該出し入れ用開口に適合する矩形状に形成されて、上記切込みが入れられていない部分において上記縁部と一体に連結され且つ該連結部分を支点として起倒することにより出し入れ用開口を開閉する裏板を形成する一方、
上記各フラップ部を複数個所で折り曲げることにより上記枠部を形成することを特徴とする額縁の製造方法。
【請求項５】
上記各フラップ部を、基端側が上記本体部に連結された第１フラップと、基端側が該第１フラップの先端側に連結された第２フラップと、基端側が該第２フラップの先端側に連結された第３フラップとを一体に形成した構成とし、
これらの第１フラップと本体部との連結部分と、第１フラップと第２フラップの連結部分と、第２フラップと第３フラップとの連結部分を、それぞれ本体部の表面側に順次折り曲げることにより、上記枠部を、本体部から直角に立ち上がる立壁部を有する断面直角三角形状に形成することを特徴とする請求項４に記載の額縁の製造方法。
【請求項６】
上記本体部の表面側に、可撓性を有し、且つ少なくとも上記出し入れ用開口の外形よりも大きな樹脂製の透明シートを取付けることを特徴とする請求項４又は請求項５に記載の額縁の製造方法。
【発明の詳細な説明】
【技術分野】
【０００１】
本発明は、写真や絵画、表彰状等のシート状の展示物を掲げる額縁及びその製造方法に関するものである。
【背景技術】
【０００２】
従来、写真等のシート状の展示物を収容して掲げる額物としては、木製の額縁、具体的には、透明なガラスが取付けられた木製の枠と、該枠の裏側に木板からなる裏板とを備え、これらの枠と裏板との間に展示物を挟んで掲げる構成となっているのが一般的である。
しかしながら、この種の額縁は非常に重く、また壊れやすいため、搬送時の取り扱いが面倒である上、その重さゆえに壁等の取付箇所へ負担も大きいという問題があった。
しかも、この種の額縁は、展示物を収容あるいは取出すために枠部と裏板とをいちいち分離して取り外す必要があるため、出し入れ作業も面倒であった。
【０００３】
また、上述のような木製の額縁の他に、特許文献１に記載されているように、所定の外形に切り抜かれた１枚のシートを折り曲げて額縁とするものも存在する。
このタイプの額縁は、上述した木製の額縁と比較すると、非常に軽く、また落下しても破損の可能性が低いため、搬送や取り扱いが容易である。また、壁等への取付けも容易であり、取付箇所への負担が小さいという利点がある。
しかしながら、この特許文献１に記載の額縁は、展示物を出し入れする度にいちいち額縁の分解・組立てを行わなければなければならず、この作業が非常に面倒であるという欠点があった。
【０００４】
一方、額縁は、展示物を壁等の取付箇所に掲げることが主な目的であるが、収容対象となるシート状の展示物を、折れ曲がったり傷が付いたりすることなく安定的に収容、取出しができることも非常に重要な要素となる。したがって、額縁としては、簡単かつ安定的に展示物を出し入れできることが肝要となる。
【先行技術文献】
【特許文献】
【０００５】
【特許文献１】特開２００５―３３５３５６号公報
【発明の概要】
【発明が解決しようとする課題】
【０００６】
本発明の技術的課題は、シート状の展示物の出し入れを安定的且つ容易に行うことができると共に、搬送や取り扱いが容易で、取付箇所への負担が小さく、また製造も容易な額縁及びその製造方法を提供することにある。
【課題を解決するための手段】
【０００７】
上記課題を解決するため、本発明の額縁は、シート状の展示物を掲げる額縁であって、背面壁を形成する矩形状の本体部と、該本体部の表面側の周囲を囲む四辺に形成された枠部とを有し、上記額縁は、上記本体部と、該本体部の四辺にそれぞれ延設されて折り曲ることにより上記枠部を形成するフラップ部とを一体に備えた１枚のポリプロピレン製のシート材により形成されていて、上記本体部は、上記枠部に沿う位置にある矩形枠状の縁部と、該縁部に取り囲まれるように形成されて上記展示物を出し入れする矩形状の出し入れ用開口と、外形が該出し入れ用開口に適合する矩形状に形成された、この出し入れ用開口を開閉する裏板とを有し、該裏板は、外周縁の一部が、上記縁部の内周縁の一部と一体に連結され、該連結部分を支点として起倒することにより上記出し入れ用開口を開閉させる構成であることを特徴とするものである。
【０００８】
本発明においては、上記各フラップ部は、基端側が上記本体部に連結された第１フラップと、基端側が該第１フラップの先端側に連結された第２フラップと、基端側が該第２フラップの先端側に連結された第３フラップとを一体に備えていて、上記枠部は、これらの第１フラップと本体部との連結部分と、第１フラップと第２フラップの連結部分と、第２フラップと第３フラップとの連結部分を、それぞれ本体部の表面側に折り曲げることにより、本体部から直角に立ち上がる立壁部を有する断面直角三角形状に構成されているものとすることができる。
【０００９】
また、本発明においては、上記本体部の表面側に、可撓性を有し、且つ少なくとも上記出し入れ用開口の外形よりも大きな樹脂製の透明シートが配設されているものとすることが好ましい。
【００１０】
一方、上記課題を解決するため、本発明の額縁の製造方法は、シート状の展示物を掲げる額縁であって、背面壁を形成する矩形状の本体部と、該本体部の表面側の周囲を囲む四辺に形成された枠部とを備えた額縁の製造方法において、上記本体部と、該本体部の四辺にそれぞれ延設されて折り曲ることにより上記枠部を形成するフラップ部とを１枚のポリプロピレン製のシート材で一体に形成し、上記本体部に、上記枠部の三辺に沿うように切込みを入れることにより、該枠部に沿うよう位置する矩形枠状の縁部と、該縁部に取り囲まれた、上記展示物を出し入れする矩形状の出し入れ用開口と、外形が該出し入れ用開口に適合する矩形状に形成されて、上記切込みが入れられていない部分において上記縁部と一体に連結され且つ該連結部分を支点として起倒することにより出し入れ用開口を開閉する裏板を形成する一方、上記各フラップ部を複数個所で折り曲げることにより上記枠部を形成することを特徴とする。
【００１１】
本発明においては、上記各フラップ部を、基端側が上記本体部に連結された第１フラップと、基端側が該第１フラップの先端側に連結された第２フラップと、基端側が該第２フラップの先端側に連結された第３フラップとを一体に形成した構成とし、これらの第１フラップと本体部との連結部分と、第１フラップと第２フラップの連結部分と、第２フラップと第３フラップとの連結部分を、それぞれ本体部の表面側に順次折り曲げることにより、上記枠部を、本体部から直角に立ち上がる立壁部を有する断面直角三角形状に形成することができる。
【００１２】
また、本発明においては、上記本体部の表面側に、可撓性を有し、且つ少なくとも上記出し入れ用開口の外形よりも大きな樹脂製の透明シートを取付けることが好ましい。
【発明の効果】
【００１３】
本発明によれば、背面壁を形成する矩形状の本体部と、該本体部の四辺にそれぞれ延設されて折り曲ることにより上記枠部を形成するフラップ部とを、１枚のポリプロピレン製のシート材で一体に形成し、該フラップ部を折り曲げることにより額縁を形成する構成としたことにより、木製の額縁に比べて軽い上、落としても損傷しにくいため、搬送や取り扱いが容易であり、また、取付箇所への負担も小さい。
しかも、本体部の裏板は、外周縁の一部が、上記出し入れ用開口を開閉自在なるように上記縁部の内周縁の一部と一体に形成されているため、この裏板を起倒させることにより出し入れ用開口を開閉すればよいため、いちいち裏板を分離しなくてもよく、展示物の収容・取出しを容易に行うことができる。
また、上記出し入れ用開口は、枠部に沿う位置にある矩形枠状の縁部に取り囲まれるように形成されている上、裏板を起こして矩形状のこの開口全体を開放する構成であるため、展示物を出し入れするスペースを十分に確保することができ、これにより、展示物を折れ曲げたり傷を付けたりすることなく安定的な出し入れが可能となる。
【００１４】
さらに、枠部はフラップを折り曲げて形成でき、また上記本体部の縁部、裏板、出し入れ用開口は、本体部に縁部の三辺に沿うように切込みを入れることにより簡単に形成することができるため、製造も容易であるという利点がある。
【図面の簡単な説明】
【００１５】
【図１】本発明に係る額縁の一実施の形態を示す正面図である。
【図２】枠部の断面図である。
【図３】図１の背面図である。
【図４】裏板を起こして出し入れ用開口を開放した状態の背面図である。
【図５】図１の額縁の展開図である。
【図６】縁部に突片を設けた状態を示す背面図である。
【発明を実施するための形態】
【００１６】
図１〜図５は、本発明に係る額縁の一実施の形態を示すもので、この実施の形態の額縁は、背面壁を形成する矩形板状の本体部１と、該本体部１の表面側（正面側）の周囲を囲む四辺に形成された枠部２と、これら本体部１の表面側と枠部２の背面側との間に配設された透明シート３とを有している。そして、上記本体部１と枠部２の間、さらに厳密には透明シート３と本体部１との間に写真や絵画、表彰状等のシート状の展示物を収容する構成となっている。
【００１７】
この額縁は、図５に示すように、透明シート３を除き、上記本体部１と、該本体部１の四辺にそれぞれ延設されたフラップ部、具体的には本体部の長手の辺側に位置する２つのフラップ部４及び短手の辺側に位置する２つのフラップ部５とを一体に備えた１枚のポリプロピレン製のシート材により形成されていて、上記各フラップ部４，５をそれぞれ折り目４ｄ，５ｄに沿って複数回折り曲げることにより、本体部１の表面側（正面側）に正面視略矩形枠状の枠部２が形成された構成となっている。
なお、この実施の形態においては、上記シート材は、厚さ約１ｍｍ程度のものを用いており、また、上記本体部１及びフラップ部については、その一体化した全体の輪郭に沿ってシート材を切り抜くことにより形成している。
【００１８】
上記枠部２は、図２に示すように、最も外周側に位置する面である立壁部７と、該立壁７の先端側から本体部１の中央方向に行くに従って次第に高さが低くなる傾斜部８と、該傾斜部８の先端側（本体部中央側の端側）から立壁部方向に折り込まれて本体部１の表面側と当接し固定される固定部９とを一体に備えたものである。上記立壁部７は、本体部１から直角に立ち上がっており、したがって、この枠部２の断面（外周側から内周側に向かう方向の断面）は、傾斜部８の部分を斜辺とする略直角三角形状に形成されたものとなっている。
【００１９】
一方、上記本体部１は、図３に示すように、矩形枠状の縁部１０と、該縁部１０に取り囲まれるように形成されて、上記展示物を出し入れする矩形状の出し入れ用開口１１と、外形が該出し入れ用開口１１に適合する矩形状に形成された、この出し入れ用開口１１を開閉する裏板１２とを有している。
これらの縁部１０、出し入れ用開口１１及び裏板１２は、本体部１の板面に、上記枠部２の三辺に沿うように略コ字形の切込み１３を入れることにより形成されているものであり、本体部１のうち、該切込み１３から外側が縁部１０、内側が裏板１２となって、該裏板１２を開くことにより出し入れ用開口１１が露出する構成となっている。
【００２０】
上記縁部１０は、上記枠部２に沿う矩形枠状に形成されたもので、表面側（正面側）には上記枠部１０の固定部９が固定されている。この縁部１０は、上記枠部２の幅（外周側から内周側に向かう方向の長さ）よりもやや幅広に形成されており、したがって、上記出し入れ用開口１０は上記枠部２の内周よりやや小さい矩形状の内周縁を備えた構成となっている。
なお、この実施の形態においては、上記縁部１０には、略コ字状の切込み１４ａを入れることにより形成され、壁等の取付箇所に吊るすための紐を通す孔１４ｂが穿設された吊下げ用小片１４が一体に設けられている。
【００２１】
また、上記裏板１２は、本体部１において上記切込み１３が入っていない部分で上記縁部１０と一体に連結された構成となっている。具体的には、図３及び図４に示すように、裏板１２の一対の短手の外周のうちの一方の短手の外周が、縁部１０と分離されることなく一体に連結されており、該裏板１２はこの連結部分を支点として縁部１０に対して起倒自在となっている。
そして、図４に示すように、この裏板１２を縁部１０に対して起立させるこすことにより上記出し入れ用開口１１を開放させる一方、倒すことにより該出し入れ用開口１１を閉塞することが可能となっている。
【００２２】
ここで、この裏板１２と縁部１０との連結部分には、直線の筋状の折り目１５がつけられており、裏板１２が縁部１０に対して起倒しやすくなっている。
この額縁の素材であるポリプロピレンは、いわゆるヒンジ特性を備えており、繰り返し曲げに高い耐性を有していることから、たとえ裏板１２と縁部１０との連結部分に折り目１５が入れられていても、また裏板１２を繰り返し起倒させたとしても、この連結部分は破断することない。したがって、裏板１２と縁部１０とは、分離することなく一体に連結された状態が安定的に維持される。
一方で、裏板１２と縁部１０との連結部分は、たとえ折り目１５が入れられていてもポリプロピレンの弾力性が残存しているため、その弾力により裏板１２は基本的には倒れる方向、即ち出し入れ用開口１１を閉塞する方向に常時付勢されており、これにより、裏板が不用意に起立して出し入れ用開口１１が開放されることを防いでいる。
【００２３】
上記透明シート３は、可撓性を有し、投光性・透明性に優れた樹脂製のもので、縁部１０の内周、つまり出し入れ用開口１２より大きな矩形状に形成され、上記本体部１の縁部における表面側（正面側）であって枠部２の背面側との間に配設されている。
この透明シート３は、上記縁部１０の内周よりも外周側の位置において、該縁部の表面側に溶着、あるいは接着等の各種手段によって位置不動に取付けられ、枠部２側から展示物が抜け落ちないようになっている（図５参照）。したがって、上記出し入れ用開口１１から入れる展示物は、実質的にはこの透明シート３と縁部１０の一部及び裏板１２との間に挟まれた状態で額縁内に収容されることとなる（図２参照）。
【００２４】
ところで、この実施の形態の額縁は、上述のように、透明シート３を除いた本体部１と、枠部２を形成する４つのフラップ部４，５とを一体に備えた１枚のポリプロピレン製のシート材により形成されている。
具体的には、図５に示すように、上記各フラップ部４，５は、基端側が上記本体部１（厳密には縁部１０）の外周縁に連結された第１フラップ４ａ，５ａと、基端側が該第１フラップ４ａ，５ａの先端側に連結された第２フラップ４ｂ，５ｂと、基端側が該第２フラップ４ｂ，５ｂの先端側に連結された第３フラップ４ｃ，５ｃとを一体に備えたものとなっている。また、第１フラップ４ａ，５ａと本体部１との連結部分、第１フラップ４ａ，５ａと第２フラップ４ｂ，５ｂの連結部分、第２フラップ４ｂ，５ｂと第３フラップ４ｃ，５ｃとの連結部分には、直線の筋状の折り目４ｄ，５ｄが、同一のフラップ部４，５内において相互に略平行となるようにそれぞれ設けられていて、該折り目４ｄ，５ｄに沿って各フラップがそれぞれ折り曲げられるようになっている。
そして、図３に示すように、これらの第１〜第３フラップ４ａ〜４ｃ・５ａ〜５ｃを各折り目４ｄ，５ｄに沿ってそれぞれ本体部の表面側に折り曲げ、第１〜第３フラップ４ａ〜４ｃ・５ａ〜５ｃで断面略直角三角形を形成させることにより、上記枠部２は形成されている。このとき、第１フラップ４ａ，５ａは枠部２の立壁部７に、第２フラップ４ｂ，５ｂは傾斜部８に、第３フラップ４ｃ，５ｃは固定部９になる
【００２５】
上記額縁を製造するに際しては、事前に１枚のポリプロピレン製のシート材を、図５に示すような外形、即ち、矩形状の本体部１の四辺にフラップ部４，５をそれぞれ一体に設けた形状としておく。
ここで、各フラップ部４，５のうち、本体部１の四辺のうち長手の辺に対応するフラップ部４については、上記第１フラップを、本体部１の長手の辺と同じ長手方向長さを有する矩形状の形状とし、第２フラップ４ｂを、基端側が第１フラップ４ａと同じ長手方向長さを有し、先端側に行くに従って先細る略等脚台形状の形状とする。さらに、上記第３フラップ４ｃを、上記第１フラップ４ｃよりも長手方向長さが小さく、短手方向長さが大きい略矩形状として、フラップ部４全体として、これら第１〜第３フラップ５ａ〜５ｃが一体に形成されたものとする。
【００２６】
一方、本体部１の四辺のうち一対の短手の辺に対応するフラップ部５については、上記第１フラップ５ａを、本体部１の短手の辺と同じ長手方向長さを有する矩形状のものとし、上記第２フラップ５ｂを、基端側から中段にかけて第１フラップ５ａと同じ長手方向長さの矩形状で、中段から先端側に行くに従って次第に先細る形状とする。さらに、上記第３フラップを、上記第１フラップ５ａよりも長手方向長さが小さく、短手方向長さが大きい略矩形状のとして、フラップ部５全体として、これら第１〜第３フラップ５ａ〜５ｃが一体に形成されたものとする。
【００２７】
そして、各フラップ部４，５には、第１〜第３フラップ４ａ〜４ｃ・５ａ〜５ｃの各連結部分を折り曲げやすくするため、これら第１〜第３フラップ４ａ〜４ｃ・５ａ〜５ｃを区分けするように直線の筋状の折り目４ｄ，５ｄを入れる。なお、シート材を切り抜く際、４つのフラップ部４，５のうち対向位置にある一対のフラップ部（この実施の形態の場合は、本体部１の短手の辺に位置する２つのフラップ部５）における第１フラップ５ａの長手方向の両端部に、隣接するフラップ部４との連結に供する平面視略扇形状の連結用小片部１６を設けておく。そして、上記各フラップ４ａ〜４ｃ・５ａ〜５ｃの連結部分の折り目４ｄ，５ｄを設ける際に該小片１６と第１フラップ５ａとの連結部分に折り目１６ａを設ける。
【００２８】
本体部１については、上記枠部２うちのいずれかの三辺に沿うように略コ字形の切込み１３を入れて、該枠部２に沿うよう位置する矩形枠状の上記縁部１０と、該縁部１０に取り囲まれた矩形状の上記出し入れ用開口１１と、該出し入れ用開口１１を開閉する矩形状の上記裏板１２を形成する。
このとき、本体部１における上記切込み１３が入れられていない部分は、上記縁部１０と裏板１２とが分離することなく一体性が維持されるため、この部分においては縁部１０の内周縁と裏板１２の外周縁とが一体に連結された状態となり、裏板１２はこの連結部分を支点として起倒自在の構成となる。これにより、裏板１２は縁部１０に対して起倒することにより出し入れ用開口１１を開放または閉塞可能となる。
【００２９】
ここで、裏板１２と縁部１０との連結部分には、上記フラップ部４，５の折り目４ｄ，５ｄと同様に直線の筋状の折り目１５をつけておき、裏板１２の起倒がより容易となるようにしておく。また、上記縁部１０には、複数個所に略コ字形の切込み１４ａを入れて、上記吊下げ用小片１４を形成すると共に、各吊下げ用小片１４には、壁等の取付箇所に吊るすための紐を通す孔１４ｂを穿設する。
【００３０】
なお、本体部１に切込み１３を入れて縁部１０、出し入れ用開口１１、及び裏板１２を形成する工程、また縁部１０に切込みを入れて吊下げ用小片１４を形成する工程は、上記フラップ部４，５に折り目４ｄ，５ｄを入れる工程の前に行ってもよく、その場合には、裏板１２と縁部１０との連結部分の折り目１５を上記フラップ部４，５に折り目４ｄ，５ｄを入れる工程と同時に行ってもよい。
【００３１】
さらに、本体部１については、上記略コ字形の切込み１３を入れて縁部１０、出し入れ用開口１１、裏板１２を形成した後、縁部１０の表面側（正面側）に、該縁部１０の内友面、即ち出し入れ用開口１０よりも大きい上記透明シート３を接着、溶着等の各種手段により固定する。
この透明シート３の接着、溶着等の固定は、正面視において見えない部分、即ちこの後形成される枠部２で隠れるような位置で行うことが好ましい。
【００３２】
一方、各フラップ部４，５については、図３に示すように、それぞれのフラップ部４，５の第１〜第３フラップ４ａ〜４ｃ・５ａ〜５ｃを、本体部１の表面側（正面側）に向けて順次折り曲げ、第１フラップ４ａ，５ａが枠部２の立壁部７、第２フラップ４ｂ，５ｂが傾斜部８、第３フラップ４ｃ，５ｃが固定部９となる断面直角三角形状の枠部２を形成する。そして、固定部９となる第３フラップ４ｃ，５ｃと本体部１の縁部１０とをリベット等による連結、あるいは当接面の接着、溶着等の各種手段により連結、固定する。この実施の形態においては、第３フラップ４ｃ，５ｃと縁部１０とを、これらの第３フラップ４ｃ，５ｃ及び縁部１０さらには透明シート３を貫通する貫通孔１７を通してリベット１８による固定を行っている。
【００３３】
また、枠部２を形成するに際しては、上記略扇形状の小片部１６は、第１フラップ４ａ，５ａから枠部２の内側に向けて直角に折り曲げると共に、隣接するフラップ部５内の空間に挿入させると共に、その隣接するフラップ部５の第１フラップ５ａ（つまりは立壁部７）の内周面に当接させて接着、溶着等の各種手段により連結、固定する。これにより、隣接するフラップ部同士との連結が強固となり、枠部２全体としての剛性が高まる。
なお、枠部２を形成する際には、枠部２の４隅に位置する部分、即ち隣接するフラップ部の第２フラップ４ｂ，５ｂの端部同士が重複するが、重複する第２フラップの一方側（この実施の形態の場合は、本体部１の短手の辺に位置するフラップ部５の第２フラップ５ｂ）を他方側（本体部１の長手の辺に位置するフラップ部４の第２フラップ４ｂ）の下面側に入れ込んで収まり良くすることにより、美観に優れた枠部２の角隅部分を形成する。
【００３４】
上記構成を有する額縁は、背面壁を形成する矩形状の本体部１と、該本体部１の四辺にそれぞれ延設されたフラップ部４，５とを、１枚のポリプロピレン製のシート材で一体に形成し、フラップ部４，５を折り曲げることにより枠部２を形成することにより額縁を形成する構成としたことにより、従来の木製の額縁に比べて軽い上、落としても損傷しにくい。したがって、搬送や取り扱いが容易であり、また、取付箇所への重量負担もきわめて小さい。
また、本体部１の裏板１２は、上記縁部１０と一体に形成され、この裏板１２を起倒させることにより出し入れ用開口１１を開閉する構成であるため、従来のようにいちいち裏板を分離しなくてもよく、展示物の収容・取出しを容易に行うことができる。
さらに、上記出し入れ用開口１１は、枠部２に沿う位置にある矩形枠状の縁部１０に取り囲まれるように形成されている上、裏板１２を起こして矩形状のこの開口全体を開放する構成であるため、展示物を出し入れするスペースを十分に確保することができ、これにより、展示物を折れ曲げたり傷を付けたりすることなく安定的な出し入れが可能となる。
【００３５】
また、上記構成の額縁を製造するにあたっては、全体として１枚のポリプロピレン製のシート材によって一体に形成されている上、枠部２はフラップ部４，５を折り曲げて形成でき、しかも上記本体部１の縁部１０、裏板１２、出し入れ用開口１１は、本体部１に枠部２の三辺に沿うように切込みを入れることにより簡単に形成することができるため、製造もきわめて容易である。
【００３６】
上記実施の形態においては、上記本体部１の裏板１２を、裏板１２と縁部１０との連結部分の弾性によって出し入れ用開口１１を閉塞する方向に付勢させることにより、不用意な出し入れ用開口１１の開放を抑えているが、この裏板１２による通常時の出し入れ用開口１１の開放を確実に防止するため、図６に示すように、縁部１０に裏板１２の通常時の起立を抑える突片１９を設けてもよい。
図６に示す突片１９は、出し入れ用開口閉塞時に裏板１２の自由端側の２隅が位置する部分に設けられた略三角形状のもので、その位置にあたる出し入れ用開口１１の２隅を覆うように縁部１０の裏面側にそれぞれ固定されている。そして、裏板１２で出し入れ用開口１１を閉塞する際には、裏板１２を撓ませながら自由端側の２隅を、各突片１９，１９の出し入れ用開口側の空間にそれぞれ差し込む。これにより、裏板１２の通常時の起立が確実に抑えられることとなる。
【００３７】
なお、図６では、出し入れ用開口１１の２隅を覆うように略三角形状の突片１９を縁部１０に配設したものとしているが、出し入れ用開口閉塞時に裏板１２の縁部１０との連結部分以外の裏板１２の三辺を押えるように、縁部１０の複数個所に、各種形状の突片をその先端側が出し入れ用開口側に突出した状態で配設するようにしてもよい。
この場合において、本体部及びフラップ部を切り抜いたポリプロピレン製のシート材の余りの部分を利用して短冊状の突片を形成すると共に、その突片の一端側をピン等により縁部に取付け、該突片をピンを中心に回転自在とし、この突片をピンを中心に動かして先端側が出し入れ用開口側に突出させ、あるいは開口側から離脱させることにより、裏板の押えあるいはその解除を行える構成してもよい。
【符号の説明】
【００３８】
１      本体部
２      枠部
３      透明シート
４，５      フラップ部
４ａ，５ａ  第１フラップ
４ｂ，５ｂ  第２フラップ
４ｃ，５ｃ  第３フラップ
７      立壁部
１０    縁部
１１    出し入れ用開口
１２    裏板
１３    切込み
【図１】
2012095951.tif 000003
【図２】
2012095951.tif 000004
【図３】
2012095951.tif 000005
【図４】
2012095951.tif 000006
【図５】
2012095951.tif 000007
【図６】
2012095951.tif 000008